(57)【要約】【課題】  物品に付されたＲＦＩＤタグの管理情報に基づいて、物品が収納棚から出し入れされた日時、利用者名等の履歴情報を作成し、その履歴情報を受信した際に得られる物品の収納状況に基づいて、希望する物品が収納棚に返却されていない場合、その物品の借受を予約することにより、物品の効率的な利用を促す物品管理システムを提供する。【解決手段】  この物品管理システム３００は、物品を収納し、且つＲＦＩＤタグに記録されている管理情報を読み書きするための電波を授受するアンテナを有する収納棚４０と、ＲＦＩＤタグに対して管理情報の読み書きを行うリーダライタ１００と、このリーダライタ１００を制御する制御ＰＣ（制御手段）５０と、収納棚４０に収納されているホルダ群の中から希望するホルダを予約する利用者ＰＣ（情報処理装置）５１と、制御ＰＣ５０と利用者ＰＣ５１を接続するネットワーク５２とを備えて構成される。【選択図】  図４
2005314012.tif 000002
【特許請求の範囲】
【請求項１】
物品に付されて該物品に係る管理情報を記録するＲＦＩＤタグに対して前記管理情報の読み書きを行うリーダライタと、該リーダライタを制御する制御手段と、前記物品を収納し、且つ前記ＲＦＩＤタグに記録されている管理情報を読み書きするための電波を授受するアンテナを有する収納棚と、ネットワークを介して前記制御手段との間で情報の授受を行なう情報処理装置と、を備え、
前記制御手段は、前記収納棚に収納されている物品に関する履歴情報を記録する記憶手段を備え、前記リーダライタを制御して前記ＲＦＩＤタグに記録されている管理情報を前記履歴情報の一部として前記記憶手段に記録し、前記情報処理装置から前記収納棚に収納されている物品の収納状況を確認したい旨の情報を受信した場合、前記記憶手段に記録されている履歴情報を読み出して前記情報処理装置に送信し、
前記情報処理装置は、受信した履歴情報に基づいて所定の物品を借り受けるための予約を前記制御手段に対して行うことを特徴とする物品管理システム。
【請求項２】
前記制御手段は、物品の所在地に直接来訪しないで前記情報処理装置を利用した予約が行われる場合に、前記物品の所在地に直接来訪した上での物品貸出し希望を優先することを特徴とする請求項１に記載の物品管理システム。
【請求項３】
前記制御手段は、前記収納棚に前記予約された物品が返却された場合、当該物品の予約を行った情報処理装置に対して当該物品を貸出可能な旨を送信すると共に、他の利用者に対して当該物品の貸出を禁止することを特徴とする請求項１に記載の物品管理システム。
【請求項４】
前記制御手段は、物品の予約を行った情報処理装置に対して当該物品が貸出可能な旨を送信した後、当該物品が所定の時間経過しても貸し出されない場合、当該物品の予約をキャンセルして他の利用者に対して貸出可能とすることを特徴とする請求項１に記載の物品管理システム。
【請求項５】
前記制御手段は、物品の所在地に直接来訪しないで前記情報処理装置を利用して予約する際、前記収納棚に当該予約した物品が存在し、且つ該物品が特定の物品の場合、所定の時間に亘って前記情報処理装置を利用した予約を有効とすることを特徴とする請求項１に記載の物品管理システム。
【発明の詳細な説明】
【技術分野】
【０００１】
本発明は、物品管理システムに関し、さらに詳しくは、貸出しの対象となる物品の履歴情報を検索した際に得られる物品の収納状況、貸出し状況を利用者に連絡し、その収納状況等に基づいて物品の予約が行えるようにして、物品の効率的な利用を促進するようにした物品管理システムに関するものである。
【背景技術】
【０００２】
従来から役所、会社等、大量の書類を管理、保管する機関、施設においては、書類を整理して収納するためのファイルを人為的なミスなく正確に自動的に管理、収納するために、各ファイル毎にＲＦＩＤタグを付し、そのＲＦＩＤタグに当該ファイルの管理情報を記録してファイル管理を自動化する試みがなされている。このファイル管理システムにおいては、ファイルの貸し出し、返却についての情報が自動的に履歴情報としてシステムに記録される。しかしながら、この履歴情報はあくまでも収納棚に収納されているファイルが何時、誰に貸し出し、何時返却されたかを管理することが主目的であり、貸し出されたファイルを予約しておいて、次の利用者が返却時に即座に借り受けることができるように管理されてはいなかった。そのため、借り受けを希望する物品が既に返却されていることを次の利用者が直ちに知ることができず、実際に利用できるまでに無駄な時間を浪費することがありファイルの有効利用が阻害されていた。
また特開２００２−４６６７公報に開示された従来技術では、配送物を保管する複数の保管室とこの各保管室に設けられる電子錠付きの個別の扉とを備えた配送物保管ボックスを、ネットワークを介して配送物保管ボックスを管理する管理サーバと接続させている。管理サーバは、配送物保管ボックスを管理するための情報からなる管理情報ＤＢを備え、この管理情報ＤＢには各保管室の状況を管理するための情報を表す管理情報を含むとともに、ネットワークを介して接続された配送物保管ボックスから上記管理情報を受信する手段と、この受信した受信管理情報に基づいて管理情報ＤＢの情報を更新する手段と、管理情報ＤＢからボックス管理に必要な情報を抽出して構成される管理情報を表示する手段とを有する。この公報記載の技術によれば、依頼者の希望に適合する保管室を事前に予約したり、最優先で希望する場所に予約可能なボックスが存在しない場合でも次に希望する場所に設置される保管室を予約したりする新しい流通システムを実現することができる。
【特許文献１】特開２００２−４６６７公報
【発明の開示】
【発明が解決しようとする課題】
【０００３】
上述したように、従来のファイル管理システムでは、収納棚に返却されたファイルを予約しておいて、次の利用者が短い待ち時間で直ちに借り受けることができるように管理されていなかったため、返却されたにもかかわらず利用されないファイルが無駄な時間収納されている事態が発生し、ファイルの有効利用が阻害されていた。
また特許文献１に開示されている従来技術は、本願発明とそのシステム構成は類似しているが、予約する対象物が配送物保管ボックスであり、予約した保管ボックスが予約済みの場合は、その保管ボックスに最も近い保管ボックスを自動的に予約するものである。即ち、予約がシステム側で行われため、必ずしも利用者の希望に合致した保管ボックスを予約できるとは限らないといった問題がある。
本発明は、かかる課題に鑑み、物品に付されたＲＦＩＤタグの管理情報に基づいて、物品が収納棚から出し入れされた日時、利用者名等の履歴情報を作成し、その履歴情報を受信した際に得られる物品の収納状況に基づいて、希望する物品が収納棚に返却されていない場合、その物品の貸出しを予約することにより、物品の効率的な利用を促す物品管理システムを提供することを目的とする。
【課題を解決するための手段】
【０００４】
本発明はかかる課題を解決するために、請求項１は、物品に付されて該物品に係る管理情報を記録するＲＦＩＤタグに対して前記管理情報の読み書きを行うリーダライタと、該リーダライタを制御する制御手段と、前記物品を収納し、且つ前記ＲＦＩＤタグに記録されている管理情報を読み書きするための電波を授受するアンテナを有する収納棚と、ネットワークを介して前記制御手段との間で情報の授受を行なう情報処理装置と、を備え、前記制御手段は、前記収納棚に収納されている物品に関する履歴情報を記録する記憶手段を備え、前記リーダライタを制御して前記ＲＦＩＤタグに記録されている管理情報を前記履歴情報の一部として前記記憶手段に記録し、前記情報処理装置から前記収納棚に収納されている物品の収納状況を確認したい旨の情報を受信した場合、前記記憶手段に記録されている履歴情報を読み出して前記情報処理装置に送信し、前記情報処理装置は、受信した履歴情報に基づいて所定の物品を借り受けるための予約を前記制御手段に対して行うことを特徴とする。
従来から会社等ではファイルを自動的に管理するために各ファイルにＲＦＩＤタグを付し当該物品の管理を行うことが行われている。即ち、従来のファイル管理システムでは、ファイルの貸し出し、返却の情報が自動的に履歴情報としてシステムの記憶部に記憶されている。しかし、この履歴情報はあくまでも収納棚に収納されているファイルが何時、誰に貸し出し、何時返却されたかを管理することが主目的であり、貸し出されたファイルを予約しておいて、次の利用者が返却時に即座に借り受けることができるように管理することはなされていなかった。そこで本発明では、利用者が制御手段に記録されている履歴情報を検索し、希望する物品が貸出中の場合は、その物品を予約できるようにしたものである。
請求項２は、前記制御手段は、物品の所在地に直接来訪しないで前記情報処理装置を利用した予約が行われる場合に、前記物品の所在地に直接来訪した上での物品貸出し希望を優先することを特徴とする。
本発明のシステムでは、収納棚の所在場所に直接来て物品の借り受けを希望する利用者を優先する。つまり、本発明では、物品の所在地に直接来訪しない予約希望者が、情報処理装置から収納状況を受信した上で、不必要に予約することにより、直接出向いた利用者が利用を拒否される可能性が多くなるのを防止するため、収納棚に収納されている物品が情報処理装置から予約された場合は、直接出向いた人を優先するために、物品が棚にある限り、情報処理装置からの予約による貸出し希望者は常に貸出しを受けられないようにするものである。
【０００５】
請求項３は、前記制御手段は、前記収納棚に前記予約された物品が返却された場合、当該物品の予約を行った情報処理装置に対して当該物品を貸出可能な旨を送信すると共に、他の利用者に対して当該物品の貸出を禁止することを特徴とする。
既に予約された物品が収納棚に返却されると、収納棚はその履歴情報にその情報を記録する。そして予約した情報処理装置に対して物品が返却されたことを通報すると共に、その物品を他の利用者が借り受けないようにする。これにより優先的に予約者に物品を貸し出すことができる。
請求項４は、前記制御手段は、物品の予約を行った情報処理装置に対して当該物品が貸出可能な旨を送信した後、当該物品が所定の時間経過しても貸し出されない場合、当該物品の予約をキャンセルして他の利用者に対して貸出可能とすることを特徴とする。
利用者が予約した物品が返却された場合、予約者の情報処理装置にその旨を連絡して他の利用者への貸し出しを禁止するが、予約者がなかなかその物品を借り受けにこない場合も考えられる。そのような場合、長期間他の利用者への貸し出しを禁止すると、物品の利用効率を悪くすることになる。そこで本発明では、制限時間を設定してその時間が経過しても予約した物品を借り受けにこない場合は、その予約をキャンセルして他の利用者に対して貸出可能とするものである。
請求項５は、前記制御手段は、物品の所在地に直接来訪しないで前記情報処理装置を利用して予約する際、前記収納棚に当該予約した物品が存在し、且つ該物品が特定の物品の場合、所定の時間に亘って前記情報処理装置を利用した予約を有効とすることを特徴とする。
情報処理装置を利用して予約したときに収納棚に当該予約した物品が存在した場合、特定の物品に限っては予約を可能とすることも必要である。例えば規格書等の同じ物が複数ある場合は、同時に全てが貸し出される確率は低いので、予約してから所定の時間（短時間）はその予約を有効にして収納棚まで移動する時間を与えるものである。
【発明の効果】
【０００６】
以上記載のごとく請求項１の発明によれば、制御手段は、情報処理装置から収納棚に収納されている物品の収納状況を確認したい旨の情報を受信した場合、その履歴情報を読み出して情報処理装置に送信する。そしてその履歴情報を受信して履歴情報の中に希望する物品が貸し出されているか否かを検索して、その物品の予約を制御手段に対して行うことにより、貸し出し可能な物品を確実に予約することができる。
また請求項２では、制御手段が情報処理装置から物品に貸出しについての予約を受け付ける際、その予約された物品が収納棚に収納されていた場合、予約を受け付けないので、直接出向いた利用者が利用を拒否されることを減少させることができる。
また請求項３では、制御手段は、収納棚に予約された物品が返却された場合、この物品の予約を行った情報処理装置に対して貸出可能であることを通知すると共に、他の利用者に対してこの物品の二重貸出を禁止するので、確実に最初の予約者に物品を貸し出すことができる。
また請求項４では、制御手段は、予約された物品が返却された場合、その物品の予約をした情報処理装置に対して物品の貸出が可能であることを送信した後、所定の時間経過しても借り出されない場合、この物品の予約をキャンセルして他の利用者に対して貸出できるようにするので、無駄な時間を減少して物品の利用効率を向上することができる。
また請求項５では、制御手段は、情報処理装置を利用して予約したときに収納棚に予約した物品が存在し、その物品が特定の物品の場合、所定の時間に亘って予約を有効とするので、特定の物品に限って収納棚に予約した物品が存在しても、情報処理装置を利用した予約を行うことができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態のＲＦＩＤタグ用リーダライタの構成を示すブロック図である。このＲＦＩＤタグ用リーダライタ１００は、外部にあるリーダライタ１００に対してデータの授受を行ってシステム全体を制御するコンピュータ（上位機器）５０により制御される。リーダライタ１００は外部のコンピュータ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣタグとの電力用搬送波とデータの授受をするループアンテナ９とを備えて構成されている。
次に、本構成によるリーダライタ１００の動作を説明する前に、対を成すＲＦＩＤタグの構成を先に説明しておく。図２は、本発明の実施形態のＲＦＩＤタグの構成を示すブロック図である。本実施形態のＲＦＩＤタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＲＦＩＤタグ２００の全体の動作を制御する制御回路２６から構成されている。
【０００８】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＲＦＩＤタグ２００に供給する電力供給用信号と、ポーリング信号を交互に電力増幅器７から送信する。その信号は、ループアンテナ９から電磁波として外部に放射される。次に、ＲＦＩＤタグ２００がリーダライタ１００に近接すると、ループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＲＦＩＤタグ２００が規格に合致したタグであると認識する。それにより、以後リーダライタ１００とＲＦＩＤタグ２００の間でポーリングが行われる。
図３は本発明の実施形態に係る物品管理システムの全体構成図である。この物品管理システム３００は、物品を収納し、且つＲＦＩＤタグに記録されている管理情報を読み書きするための電波を授受するアンテナを有する収納棚４０と、ＲＦＩＤタグに対して管理情報の読み書きを行うリーダライタ１００と、このリーダライタ１００を制御する制御ＰＣ（制御手段）５０と、収納棚４０に収納されているホルダ群の中から希望するホルダを予約する利用者ＰＣ（情報処理装置）５１と、制御ＰＣ５０と利用者ＰＣ５１を接続するネットワーク５２とを備えて構成される。
図４は本実施形態に使用されるホルダとＲＦＩＤタグの関係を表す図である。図３（ａ）では、例えば書類３１を収納するホルダ３０の前面には、目視により確認可能なようにホルダ３０の名称を記入する名札３２が貼付され、ホルダ３０の背面にはホルダ３０の管理情報を記録するＲＦＩＤタグ２００が貼付されている。図３（ｂ）は書類３１にもＲＦＩＤタグ２００ａが貼付されている一例である。当然ＲＦＩＤタグ２００ａには各書類ごとの管理情報が記録されている。これにより、一括してＲＦＩＤタグの情報を読み書きするリーダライタによりホルダ３０とホルダ３０の中味の書類を一括して管理することができる。
【０００９】
図５は本発明の実施形態に係る物品管理システムに使用される収納棚の構成図である。同じ構成要素には同じ参照番号を付して説明する。この収納棚４０が内部に備えるアンテナ９、９ａとリーダライタ１００はケーブル４４により接続されている。また、この例では複数のホルダ３０は収納棚４０の上下を区切る棚４１の上部に収納され、ホルダ３０の背面に貼付されたＲＦＩＤタグ２００に記録されている情報を収納棚４０の背面に備えられたアンテナ９により読み取る構成となっている。また下部には複数のファイル４３が収納されている。そしてファイル４３の側面には図示しないＲＦＩＤタグが貼付され、アンテナ９ａにより情報が読み書きできる構成となっている。また、扉４５に備えられた鍵４６により施開錠が可能な構成とする。
次に図５を参照して本発明の物品管理システム３００に係る予約状態の概略動作について説明する。本説明ではホルダ３０内に収納され、ＲＦＩＤタグが貼付されていない書類を予約する場合について説明する。まず利用者は収納棚４０から希望するホルダ３０を取り出すために、リーダライタ１００に例えば、社員証のようなＩＤカードを近接する。リーダライタ１００はそのＩＤカードに記録されたＩＤコードを認証すると、収納棚４０の扉４５に備えられている施開錠装置４６を開錠する。それにより利用者は扉４５を開けて中から希望するホルダ３０を取り出す。リーダライタ１００は、ホルダ３０の背面に貼付されたＲＦＩＤタグ２００に記録されている情報を収納棚４０の背面に備えられたアンテナ９により読み取り、制御ＰＣ５０のメモリに履歴情報として記憶する。そして利用者ＰＣ５１が収納棚４０内のホルダ３０の一つを予約するためにネットワーク５２を介して制御ＰＣ５０をアクセスする。それにより制御ＰＣ５０は内部のメモリに記録している履歴情報を利用者ＰＣ５１に返信する。利用者ＰＣ５１はその情報を受信し、自己のモニタに内容を表示する。その表示内容から予約したい物品が貸出中であることを確認すると、制御ＰＣ５０に対してその物品の予約を行う。その後、制御ＰＣ５０が予約された物品が返却されたことを検出すると、予約した利用者ＰＣ５１にその旨を送信する。利用者ＰＣ５１がその情報を確認すると利用者が収納棚４０まで出かけて予約した物品を借り受ける。制御ＰＣ５０は、予約した利用者ＰＣ５１に予約した物品が返却された旨を送信した後、予約者以外の利用を禁止するように監視する（詳細は後述する）。
尚、図３（ｂ）のように書類３１にもＲＦＩＤタグ２００ａが貼付されている場合は、ホルダ３０と書類３１に付されているＲＦＩＤタグの情報を一括して読み取ることにより、書類単位で予約することができる。
【００１０】
図６は本発明の物品管理システム３００により物品を予約する場合の利用者ＰＣ側と制御ＰＣ側の動作フローチャートである。図５を参照して説明する。尚、フローチャートで説明している物品とは、ホルダ或いはファイルを指している。まず利用者ＰＣ５１が収納棚４０内のホルダ３０の一つを予約するためにネットワーク５２を介して制御ＰＣ５０にアクセスする（Ｓ１）。それにより制御ＰＣ５０は内部のメモリに記録している履歴情報を利用者ＰＣ５１に返信する（Ｓ１１）。次に利用者ＰＣ５１はその情報を受信し、自己のモニタに内容を表示する。その表示内容から予約したい物品が貸出中であることを確認すると（Ｓ２でＮＯのルート）、制御ＰＣ５０に対してその物品の予約を行う（Ｓ３）。ステップＳ２で予約したい物品が収納棚４０に収納されていると（Ｓ２でＹＥＳのルート）、物品の所在地に直接来訪してその物品を借り受ける（Ｓ５）。ここで本実施形態では、収納棚４０の所在場所に直接来て物品の借り受けを希望する利用者を優先する。つまり、物品の所在地に直接来訪しない予約希望者が、ＰＣ５１から収納状況を受信した上で、不必要に予約することにより、直接出向いた利用者が利用を拒否される可能性が多くなるのを防止するため、収納棚４０に収納されている物品がＰＣ５１から予約された場合は、直接出向いた人を優先するために、物品が収納棚４０にある限り、ＰＣ５１からの予約による貸出し希望者は常に貸出しを受けられないようにするものである。
これにより、貸し出し可能な物品を確実に予約することができると共に、直接出向いた利用者が利用を拒否されることを減少させることができる。尚、ＰＣ５１を利用して予約したときに収納棚４０に予約した物品が存在し、その物品が特定の物品（例えば、複数の同じ内容の物品）の場合、所定の時間に亘って予約を有効とすることにより、特定の物品に限って収納棚４０に予約した物品が存在してもＰＣ５１を利用した予約を行うことができる。
【００１１】
そして制御ＰＣ５０はその予約情報を受信してメモリに登録する（Ｓ１２）。その後、制御ＰＣ５０が収納棚４０に物品が返却されたことを検出すると（Ｓ１３でＹＥＳのルート）、その物品の中に予約中の物品が存在しているか否かを検索し（Ｓ１４）、予約中の物品が存在すると（Ｓ１４でＹＥＳのルート）、予約した利用者ＰＣ５１にその旨を送信する（Ｓ１５）。
利用者ＰＣ５１がその情報を確認すると（Ｓ４）、利用者が収納棚４０の所在地まで出かけて予約した物品を借り受ける。制御ＰＣ５０は、予約した利用者ＰＣ５１に予約した物品が収納棚４０に返却された旨を送信した後、予約者以外の利用を禁止するように監視する（Ｓ１６）。そして予約者以外の利用者がその物品を収納棚４０から取り出すと（Ｓ１６でＹＥＳのルート）、アラームを発して予約済みである旨を通知する（Ｓ１７）。即ち、既に予約された物品が収納棚４０に返却されると、収納棚４０はその履歴情報にその情報を記録する。そして予約したＰＣ５１に対して物品が返却されたことを通報すると共に、その物品を他の利用者が借り受けないようにする。これにより優先的に予約者に物品を貸し出すことができる。
そして所定の時間内に予約した物品を借り受けたか否かを監視し（Ｓ１８）、借り受ければ（Ｓ１８でＹＥＳのルート）、ステップＳ１１に戻る。ステップＳ１８で所定の時間が超過すると（Ｓ１８でＮＯのルート）、次の予約者がいるか否かをチェックして（Ｓ１９）、いなければその物品の予約をキャンセルする（Ｓ２０）。次の予約者がいればステップＳ１２に進んで予約受付を繰り返す。即ち、利用者が予約した物品が返却された場合、予約者のＰＣ５１にその旨を連絡して他の利用者への貸し出しを禁止するが、予約者がなかなかその物品を借り受けにこない場合も考えられる。そのような場合、長期間他の利用者への貸し出しを禁止すると、物品の利用効率を悪くすることになる。そこで本実施形態では、制限時間（Ｓ１８）を設定してその時間が経過しても予約した物品を借り受けにこない場合は、その予約をキャンセル（Ｓ２０）して他の利用者に対して貸出可能とするものである。これにより無駄な時間を減少して物品の利用効率を向上することができる。
【図面の簡単な説明】
【００１２】
【図１】本発明の一実施形態のＲＦＩＤタグ用リーダライタの構成を示すブロック図である。
【図２】本発明の実施形態のＲＦＩＤタグの構成を示すブロック図である。
【図３】本発明の実施形態に係る物品管理システムの全体構成図である。
【図４】本実施形態に使用されるホルダとＲＦＩＤタグの関係を表す図である。
【図５】本発明の実施形態に係る物品管理システムに使用される収納棚の構成図である。
【図６】本発明の物品管理システム３００により物品を予約する場合の利用者ＰＣ側と制御ＰＣ側の動作フローチャートである。
【符号の説明】
【００１３】
９、９ａ  アンテナ、３０  ホルダ、４０  収納棚（什器）、４１  棚、４３  ファイル、４４  ケーブル、４５  扉、４６  鍵、５０  制御ＰＣ、５１  利用者ＰＣ，１００  リーダライタ、２００  ＲＦＩＤタグ、３００  物品管理システム
【図１】
2005314012.tif 000003
【図２】
2005314012.tif 000004
【図３】
2005314012.tif 000005
【図４】
2005314012.tif 000006
【図５】
2005314012.tif 000007
【図６】
2005314012.tif 000008